(57)【特許請求の範囲】
【請求項１】
温水パネルの長手方向両端部を覆うように配設されて、温水パネルの両端部を保護する一対の端部包装材であって、温水パネルの厚み及び幅の種類に対応した数の端部包装材と、
温水パネルの長手方向に沿う両側部の少なくとも一部に、上面から下面にまで回り込むような態様で配設されて、温水パネルの両側部を保護する一対の側部包装材であって、温水パネルの厚みの種類に対応した数の側部包装材と、
温水パネルの上面の主要部と対向するように配設されて、温水パネルの上面側を保護する上面包装材であって、幅の種類が温水パネルの幅の種類に対応し、長さの種類が温水パネルの長さの種類よりも少ない上面包装材と、
温水パネルの下面側を保護する下面包装材であって、温水パネルの下面の主要部と対向するように配設される平面部と、温水パネルの下面から上面にまで回り込む回り込み部を備え、厚み及び幅の種類が温水パネルの厚み及び幅の種類に対応し、長さの種類が温水パネルの長さの種類よりも少ない下面包装材と
を用意し、
温水パネルの厚み及び幅に対応する端部包装材及び温水パネルの厚みに対応する側部包装材を用い、長さの種類が温水パネルの長さの種類よりも少ない上面包装材のうちから温水パネルの長さに適した上面包装材を選択して用いるとともに、長さの種類が温水パネルの長さの種類よりも少ない下面包装材から温水パネルの寸法に適した下面包装材を選択して用い、
温水パネルの寸法を考慮して選択した、所定の種類の前記端部包装材を、温水パネルの長手方向両端部を覆うように配設するとともに、同じく温水パネルの寸法を考慮して選択した、所定の種類の前記側部包装材を、温水パネルの長手方向に沿う両側部の中央部に、上面から下面にまで回り込むような態様で配設し、
前記端部包装材、及び前記側部包装材が両端部及び両側部に取り付けられた温水パネルを、温水パネルの寸法を考慮し、温水パネルの長さより長くならないように選択した、所定の種類の前記上面包装材及び前記下面包装材により挟み込み、前記下面包装材の回り込み部が前記上面包装材の上面にまで回り込むように処理することにより、床暖房に用いられる寸法の異なる複数種類の温水パネルを包装する際に用いられる温水パネルの包装材であって、
(ａ)温水パネルの長手方向両端部を覆うように配設されて、温水パネルの両端部を保護する一対の端部包装材であって、温水パネルの端面を保護するための端面パッド及び両端側の側面を保護するための側面パッドを備えた一対の端部包装材と、
(ｂ)温水パネルの長手方向に沿う両側部の少なくとも一部に、上面から下面にまで回り込むような態様で配設されて、温水パネルの両側部を保護する一対の側部包装材と、
(ｃ)温水パネルの上面の主要部と対向するように配設されて、温水パネルの上面側を保護する上面包装材と、
(ｄ)温水パネルの下面側を保護する下面包装材であって、温水パネルの下面の主要部と対向するように配設される平面部と、温水パネルの下面から上面にまで回り込む回り込み部を備えた下面包装材と
を具備することを特徴とする温水パネルの包装材。
【請求項２】
前記下面用包装材として、回り込み部に、温水パネルの厚みの種類に応じて、所定の折り曲げ位置で折り曲げることができるようにするための予備加工が施されたものが用いられていることを特徴とする請求項１記載の温水パネルの包装材。
【請求項３】
前記一対の側部包装材として、温水パネルの側面を保護するための側面パッドを備えたものが用いられていることを特徴とする請求項１または２記載の温水パネルの包装材。
【請求項４】
前記端部包装材、側部包装材、上面包装材、及び下面包装材の少なくとも主要部が紙系材料から形成されていることを特徴とする請求項１〜３のいずれかに記載の温水パネルの包装材。
【請求項５】
前記紙系材料が段ボール紙であることを特徴とする請求項１〜４のいずれかに記載の温水パネルの包装材。
【発明の詳細な説明】
【０００１】
【発明の属する技術分野】
本願発明は、包装材に関し、詳しくは、床暖房に用いられる、寸法の異なる複数種類の温水パネルの包装材に関する。
【０００２】
【従来の技術及び発明が解決しようとする課題】
床暖房に用いられる温水パネルは、通常、軽量であること、断熱性に優れていることなどが要求される。そして、かかる要求に応えるため、主要部を発泡スチロールなどの発泡樹脂により構成した温水パネルが広く用いられている。しかし、発泡スチロールなどの発泡樹脂は、機械的強度が小さくて破損しやすいため、十分な包装を行った上で、保管、搬送などを行うことが必要になる。
【０００３】
ところで、温水パネルは、施工すべき床の面積などにより、異なる複数種類の大きさのものが用意されており、さらに、これを所定の位置で折り畳んで包装することが行われていることから、包装される状態における温水パネルの長さ方向、幅方向、厚み方向の寸法の種類は多数となり、全体としての寸法の種類もそれに応じて多数となっている。
そのため、温水パネルを包装するために用いられる包装材も、温水パネルの種類に応じて、多種類のものを用意することが必要になる。
【０００４】
なお、図１０は、従来の温水パネルの包装構造を示す分解斜視図である。この例では、温水パネル５１を包装するための包装材５２として、
(ａ)蓋付き箱状の包装材本体６１と、
(ｂ)温水パネル５１の長手方向両端部を覆うように配設されて、温水パネル５１の両端部を保護する一対の端部包装材６２と、
(ｃ)温水パネル５１の長手方向に沿う両側部の少なくとも一部に、上面から下面にまで回り込むような態様で配設されて、温水パネル５１の両側部を保護する一対の側部包装材６３と、
(ｄ)温水パネル５１の上面の主要部と対向するように配設されて、温水パネル５１の上面側を保護する上面包装材６４と、
(ｅ)温水パネル５１の下面側を保護する下面包装材６５と
を備えた包装材が用いられている。
【０００５】
そして、このような包装材５２を用いて包装を行う場合に、包装される状態における温水パネル５１の寸法の異なるものの種類が、例えば、長さＬについて７種類、幅Ｗについて２種類、厚みＴについて４種類存在するとした場合、包装材５２を構成する各包装材として、
(ａ)蓋付き箱状の包装材本体６１が、温水パネル５１の長さＬ、幅Ｗ、厚みＴのそれぞれの寸法の種類に対応するように５６種類、
(ｂ)端部包装材６２が、温水パネル５１の幅Ｗ、厚みＴのそれぞれの寸法の種類に対応するように８種類、
(ｃ)側部包装材６３が、温水パネル５１の厚みＴの寸法の種類に対応するように４種類、
(ｄ)上面包装材６４が、温水パネル５１の長さＬ、幅Ｗのそれぞれの寸法の種類に対応するように１４種類、
(ｅ)下面包装材６５が、温水パネル５１の長さＬ、幅Ｗのそれぞれの寸法の種類に対応するように１４種類
の合計９６種類の包装材を用意することが必要になる。
【０００６】
そのため、必要な寸法の包装材を適切な数だけ用意するのに手間やコストがかかるばかりでなく、多数の包装材を保管するのに大きなスペースが必要となり、全体としてのコストの上昇を招くとともに、包装を含めた生産工程が複雑化して生産効率の低下を招くという問題点がある。
【０００７】
一方、包装材の種類を減らして対応しようとすると、包装の信頼性が低下し、場合によっては、搬送中に製品が破損するというような問題点がある。
また、温水パネルに比べて大きな包装材を用いることにより包装材の種類を減らそうとすると、包装コストが増大したり、包装材により包装された包装構造体の寸法が大きくなって搬送や保管に支障を来したりするという問題点がある。
【０００８】
本願発明は、上記問題点を解決するものであり、用意すべき包装材の種類を削減することが可能で、かつ、包装構造体の大型化を招くことなく、温水パネルを確実に包装することが可能な温水パネルの包装材を提供することを目的とする。
【０００９】
【課題を解決するための手段】
上記目的を達成するために、本願発明（請求項１）の温水パネルの包装材は、
温水パネルの長手方向両端部を覆うように配設されて、温水パネルの両端部を保護する一対の端部包装材であって、温水パネルの厚み及び幅の種類に対応した数の端部包装材と、
温水パネルの長手方向に沿う両側部の少なくとも一部に、上面から下面にまで回り込むような態様で配設されて、温水パネルの両側部を保護する一対の側部包装材であって、温水パネルの厚みの種類に対応した数の側部包装材と、
温水パネルの上面の主要部と対向するように配設されて、温水パネルの上面側を保護する上面包装材であって、幅の種類が温水パネルの幅の種類に対応し、長さの種類が温水パネルの長さの種類よりも少ない上面包装材と、
温水パネルの下面側を保護する下面包装材であって、温水パネルの下面の主要部と対向するように配設される平面部と、温水パネルの下面から上面にまで回り込む回り込み部を備え、厚み及び幅の種類が温水パネルの厚み及び幅の種類に対応し、長さの種類が温水パネルの長さの種類よりも少ない下面包装材と
を用意し、
温水パネルの厚み及び幅に対応する端部包装材及び温水パネルの厚みに対応する側部包装材を用い、長さの種類が温水パネルの長さの種類よりも少ない上面包装材のうちから温水パネルの長さに適した上面包装材を選択して用いるとともに、長さの種類が温水パネルの長さの種類よりも少ない下面包装材から温水パネルの寸法に適した下面包装材を選択して用い、
温水パネルの寸法を考慮して選択した、所定の種類の前記端部包装材を、温水パネルの長手方向両端部を覆うように配設するとともに、同じく温水パネルの寸法を考慮して選択した、所定の種類の前記側部包装材を、温水パネルの長手方向に沿う両側部の中央部に、上面から下面にまで回り込むような態様で配設し、
前記端部包装材、及び前記側部包装材が両端部及び両側部に取り付けられた温水パネルを、温水パネルの寸法を考慮し、温水パネルの長さより長くならないように選択した、所定の種類の前記上面包装材及び前記下面包装材により挟み込み、前記下面包装材の回り込み部が前記上面包装材の上面にまで回り込むように処理することにより、床暖房に用いられる寸法の異なる複数種類の温水パネルを包装する際に用いられる温水パネルの包装材であって、
(ａ)温水パネルの長手方向両端部を覆うように配設されて、温水パネルの両端部を保護する一対の端部包装材であって、温水パネルの端面を保護するための端面パッド及び両端側の側面を保護するための側面パッドを備えた一対の端部包装材と、
(ｂ)温水パネルの長手方向に沿う両側部の少なくとも一部に、上面から下面にまで回り込むような態様で配設されて、温水パネルの両側部を保護する一対の側部包装材と、
(ｃ)温水パネルの上面の主要部と対向するように配設されて、温水パネルの上面側を保護する上面包装材と、
(ｄ)温水パネルの下面側を保護する下面包装材であって、温水パネルの下面の主要部と対向するように配設される平面部と、温水パネルの下面から上面にまで回り込む回り込み部を備えた下面包装材と
を具備することを特徴としている。
【００１０】
(ａ)温水パネルの厚み及び幅の種類に対応した数の端部包装材、(ｂ)温水パネルの厚みの種類に対応した数の側部包装材、(ｃ)幅の種類が温水パネルの幅の種類に対応し、長さの種類が温水パネルの長さの種類よりも少ない上面包装材、(ｄ)厚み及び幅の種類が温水パネルの厚み及び幅の種類に対応し、長さの種類が温水パネルの長さの種類よりも少ない下面包装材を用意し、温水パネルの厚み及び幅に対応する端部包装材及び温水パネルの厚みに対応する側部包装材を用いるとともに、長さの種類が温水パネルの長さの種類よりも少ない上面包装材及び下面包装材のうちから温水パネルの長さに適した上面包装材及び下面包装材を選択して用いることにより、少ない種類の包装材で、包装構造体の大型化を招くことなく、温水パネルを確実に包装することが可能になる。
【００１１】
なお、本願発明において、温水パネルの上面側を保護する上面包装材と、温水パネルの下面側を保護する下面包装材の関係は、相対的なものであり、包装構造体の置き方で上面、下面が定まるので、上面包装材及び下面包装材の一対の包装材の一方が、上記(ｃ)の上面包装材及び(ｄ)の下面包装材のうちのいずれか一方の構成を備え、他方が、(ｃ)の上面包装材及び(ｄ)の下面包装材のうちの他方の構成を備えている場合には、その一対の包装材が、本願発明の上記(ｃ)及び(ｄ)の構成を備えていることになると考えるべきものである。
また、(ｄ)の下面包装材に関し、厚みの種類が温水パネルの厚みの種類に対応しているとは、下面包装材の回り込み部が、温水パネルの厚みに応じて、その上面側にまで回り込めるように、平面部からの立ち上がり部（回り込み部の一部）の高さが、温水パネルの厚みに対応していることを意味する概念である。
また、本願発明は、包装されるべき状態にある温水パネルの表面に段差がある場合において、段差を解消するためにパッドなどの包装材を使用することを妨げるものではない。
【００１２】
(ａ)温水パネルの両端部を保護する一対の端部包装材であって、温水パネルの端面を保護するための端面パッド及び両端側の側面を保護するための側面パッドを備えた一対の端部包装材と、(ｂ)温水パネルの両側部を保護する一対の側部包装材と、(ｃ)温水パネルの上面側を保護する上面包装材と、(ｄ)温水パネルの下面から上面にまで回り込む回り込み部を備えた下面包装材とを備えた構成とすることにより、包装信頼性の低下や、包装工程の複雑化を招いたりすることなく、温水パネルの寸法の種類よりも少ない種類の包装材で、包装構造体の大型化を招くことなく、温水パネルを確実に包装することが可能になる。
また、端部包装材として、温水パネルの端面を保護するための端面パッド及び両端側の側面を保護するための側面パッドを備えたものを用いているので、温水パネルの両端面及び両端面側の側面をさらに確実に保護することが可能になり、包装信頼性を向上させることが可能になる。
なお、本願発明の温水パネルの包装材は、包装されるべき状態にある温水パネルの表面に段差がある場合において、段差を解消するために用いられるパッドなどの包装材を含むことを妨げるものではない。
【００１３】
また、請求項２の温水パネルの包装材のように、下面用包装材として、回り込み部に、温水パネルの厚みの種類に応じて、所定の折り曲げ位置で折り曲げることができるようにするための予備加工が施されたものを用いることにより、包装信頼性の低下や、包装工程の複雑化を招いたりすることなく、温水パネルの厚みの種類よりも少ない種類の下面包装材により、厚みの異なる温水パネルを効率よく包装することが可能になる。
【００１４】
また、請求項３の温水パネルの包装材は、温水パネルの長手方向に沿う両側部の少なくとも一部に、上面から下面にまで回り込むような態様で配設されて、温水パネルの両側部を保護する一対の側部包装材として、温水パネルの側面を保護するための側面パッドを備えたものが用いられていることを特徴としている。
【００１５】
温水パネルの両側部を保護する一対の側部包装材として、温水パネルの側面を保護するための側面パッドを備えたものを用いることにより、温水パネルの両側面をさらに確実に保護することが可能になり、包装信頼性を向上させることが可能になる。
【００１６】
また、請求項４の温水パネルの包装材は、前記端部包装材、側部包装材、上面包装材、及び下面包装材の少なくとも主要部が紙系材料から形成されていることを特徴としている。
【００１７】
端部包装材、側部包装材、上面包装材、及び下面包装材として、その少なくとも主要部が紙系材料から形成されたものを用いることにより、特殊な材料を用いることなく、環境への負荷が少なく、経済性に優れた包装材を提供することが可能になる。
なお、紙系材料としては、ボール紙、古紙からなるシート状の材料、その他種々の紙からなる材料、あるいは紙を含む材料を用いることが可能である。
【００１８】
また、請求項５の温水パネルの包装材は、前記紙系材料が段ボール紙であることを特徴としている。
【００１９】
紙系材料として、段ボール紙を用いることにより、極めて汎用性の高い材料からなる信頼性の高い包装材を容易かつ確実に提供することが可能になる。
【００２０】
【発明の実施の形態】
以下、本願発明の実施の形態を示して、その特徴とするところをさらに詳しく説明する。
【００２１】
［温水パネル］
まず、この実施形態において包装の対象となる温水パネルについて説明する。図８に示すように、この実施形態で包装の対象となる温水パネル１は、発泡スチロールからなるプレート部３に形成された溝に、温水を循環させるための温水循環パイプ４を配設することにより形成されており、図８の線Ｌ１，Ｌ２，及びＬ３の位置で折り曲げて４重に重ねた状態で包装されるように構成されている。
【００２２】
この温水パネル１において、発泡スチロールからなるプレート部３は機械的強度が小さく、特にコーナ部などはもろいため、十分な包装が必要となる部分である。
また、この温水パネル１は、包装されるべき状態に折り重ねられた状態（例えば図１に示す状態）における各部の寸法が、
(1)長さＬ：３３０cm、３００cm、２７０cm、２４０cm、２１０cm、１８０cm、１５０cmの７種類、
(2)幅Ｗ  ：９５０cm９００cmの２種類
(3)厚みＴ：１．２cm、２．４cm、３．６cm、４．８cmの４種類（積み重ねの態様が１重、２重、３重、４重の４種類）、
で、各寸法の種類を組み合わせると、その寸法の種類が５６種類（７×２×４＝５６）となるものである。以下、温水パネル１の寸法に関しては、包装されるべき状態に折り重ねられたものの寸法をいうものとする。
【００２３】
［包装材］
次に、包装材の構成について説明する。
図１は、床暖房に用いられる温水パネルを包装するのに用いられる本願発明の一実施形態にかかる包装材の構成を示す分解斜視図である。
この実施形態では、温水パネル１を包装するための包装材２として、
(ａ)温水パネル１の長手方向両端部を覆うように配設されて、温水パネル１の両端部を保護する一対の端部包装材１１ａ，１１ｂと、
(ｂ)温水パネル１の長手方向に沿う両側部の中央部に、上面から下面にまで回り込むような態様で配設されて、温水パネルの両側部を保護する一対の側部包装材１２ａ，１２ｂと、
(ｃ)温水パネル１の上面の主要部と対向するように配設されて、温水パネル１の上面側を保護する上面包装材１３と、
(ｄ)温水パネルの下面側を保護する下面包装材であって、温水パネルの下面の主要部と対向するように配設される平面部１４と、温水パネル１の下面から上面にまで回り込む回り込み部１５ａ，１５ｂを備えた下面包装材１６と
を備えた包装材が用いられている。
なお、本願発明においては、包装されるべき状態にある温水パネル１の表面に段差がある場合に、段差を解消するためにパッドなどの包装材を用いることも可能である。
【００２４】
上記(ａ)の端部包装材１１ａ，１１ｂは、図１，図２に示すように、段ボール紙を折り曲げ加工することにより、いずれの端部側にも使用することができるような構造に形成されており、温水パネル１の両端面を保護するための端面パッド２１及び両端側の側面を保護するための側面パッド２２ａ，２２ｂを備えている。
なお、端面パッド２１及び側面パッド２２ａ，２２ｂは、ダンボール紙を箱状に折り曲げ加工することにより形成されている。また、箱状の端面パッド２１と側面パッド２２ａは、その略中央部に形成された穴に、段ボール紙を折り曲げ加工した箱状の補強部材２３をはめ込むことにより機械的強度が向上するように構成されている。
【００２５】
また、上記(ｂ)の側部包装材１２ａ，１２ｂは、図１，図３に示すように、段ボール紙を折り曲げ加工することにより、いずれの側部側にも使用することができるような構造に形成されており、温水パネル１の両側面を保護するための側面パッド２４を備えている。
なお、側面パッド２４は、ダンボール紙を箱状に折り曲げ加工することにより形成されており、箱状の側面パッド２４の上面の２箇所に形成された穴に、段ボール紙を折り曲げ加工した箱状の補強部材２５をはめ込むことにより機械的強度が向上するように構成されている。
【００２６】
また、上記(ｃ)の上面包装材１３は、図１に示すように、段ボール紙からなる平板状の部材であり、略中央部に持ち運びの際に手指を入れて把持することができるように把持穴１３ａが形成されている。
【００２７】
また、上記(ｄ)の下面包装材１６は、温水パネルの下面の主要部と対向するように配設される平面部１４と、温水パネル１の下面から上面にまで回り込む回り込み部１５ａ，１５ｂを備えており、この下面包装材１６も、段ボール紙から形成されている。なお、この下面包装材１６において、回り込み部１５ａ，１５ｂの垂直部分の高さＨ（図１）は、包装されるべき温水パネル１の厚みＴに対応するように構成されている。この下面包装材１６にも、略中央部に持ち運びの際に手指を入れて把持することができるように把持穴１６ａが形成されている。
【００２８】
そして、この実施形態では、上記(ａ)の端部包装材１１ａ，１１ｂとして、折り重ねた状態の温水パネル１の幅Ｗ（２種類）及び厚みＴ（４種類）に対応するように、８種類の寸法のものを用意した。
また、上記(ｂ)の側部包装材１２ａ，１２ｂとして、温水パネル１の厚みＴ（４種類）に対応するように、４種類の寸法のものを用意した。
また、上記(ｃ)の上面側を保護する上面包装材１３として、温水パネル１の長さＬは７種類あるが、両端部が端部包装材により確実に包装されることを考慮して、３種類の長さで対応し、幅については温水パネル１と同じ２種類で対応することとして、合計６種類の寸法のものを用意した。
さらに、上記(ｄ)の下面包装材１６として、長さと幅については、上記(ｃ)の上面包装材１３の場合と同様に考えて、長さを３種類、幅を２種類とする一方、温水パネル１の下面から上面にまで回り込む回り込み部１５ａ，１５ｂの高さＨ（図１）については、温水パネル１の厚みＴの種類（４種類）と同じ４種類として、合計２４種類のものを用意した。
【００２９】
これにより、各包装材の種類は、
(1)端部包装材１１ａ，１１ｂが８種類、
(2)側部包装材１２ａ，１２ｂが４種類、
(3)上面包装材１３が６種類、
(c)下面包装材１６が２４種類
の合計４２種類となる。
【００３０】
［包装方法及び包装構造］
次に、上記包装材を用いて温水パネルを包装する方法及び包装構造について説明する。
まず、上述のような端部包装材１１ａ，１１ｂ、側部包装材１２ａ，１２ｂ、上面包装材１３及び下面包装材１６を必要な種類だけ用意する。
【００３１】
それから、図４及び５に示すように、温水パネル１の寸法を考慮して選択した、所定の種類の端部包装材１１ａ，１１ｂを、温水パネル１の長手方向両端部を覆うように配設するとともに、同じく温水パネル１の寸法を考慮して選択した、所定の種類の側部包装材１２ａ，１２ｂを、温水パネル１の長手方向に沿う両側部の中央部に、上面から下面にまで回り込むような態様で配設する。
【００３２】
それから、端部包装材１１ａ，１１ｂ、及び側部包装材１２ａ，１２ｂが両端部及び両側部に取り付けられた温水パネル１を、図６及び図７に示すように、温水パネル１の寸法を考慮し、温水パネルの長さＬより長くならないように選択した、所定の種類の上面包装材１３及び下面包装材１６により挟み込むように包装する。このとき、下面包装材１６の回り込み部１５ａ，１５ｂが上面包装材１３の上面にまで回り込むように処理する。
【００３３】
これにより、従来の包装材の種類数（９６種類）よりも少ない種類数（４２種類）の包装材を用いて、包装構造体の大型化を招くことなく、種々の寸法の温水パネルを確実に包装することが可能になる。なお、必要に応じて、包装材の外周に、ポリエチレンバンドなどを巻き回して締結したりすることにより、さらに包装信頼性を向上させることができる。
【００３４】
上記実施形態では、上面包装材１３及び下面包装材１６は、長さの種類を、温水パネル１の長さＬの種類（７種類）より少ない３種類としているが、上面包装材１３及び下面包装材１６の長さが温水パネル１の長さＬよりいくらか短くても、温水パネル１の両端部は端部包装材１１ａ，１１ｂにより確実に包装されているので、全体として、十分な信頼性を備えた包装を行うことができる。
なお、場合によっては、温水パネル１の長さＬよりも長い上面包装材１３及び下面包装材１６を選択することも可能であるが、包装構造体が大型化するのであまり好ましくない。
【００３５】
なお、上記実施形態では、下面包装材１６として、長さを３種類、幅を２種類とする一方、温水パネル１の下面から上面にまで回り込む回り込み部１５ａ，１５ｂの高さＨについては、温水パネル１の厚みＴの種類（４種類）と同じ４種類として、合計２４種類のものを用意するようにしたが、図９に示すように、回り込み部１５ａ，１５ｂに型押しをしたり、ミシン目を入れたりする予備加工２６を施して、温水パネル１の厚みＴの種類に応じ、所定の折り曲げ位置で折り曲げることができるようにした下面包装材１６を用いることにより、さらに包装材の種類数を減らすことが可能になり、本願発明をさらに実効あらしめることが可能になる。
【００３６】
なお、回り込み部１５ａ，１５ｂに予備加工２６を施して、温水パネル１の厚みＴの種類に対し、回り込み部１５ａ，１５ｂの高さ寸法の種類を１種類とした場合、上記実施形態では２４種類であった下面包装材１６の種類を６種類に減らすことが可能になる。その結果、包装材２の全体の種類数を２４種類とすることが可能になり、従来の包装材の種類数（９６種類）に比べて大幅に少ない種類の包装材により、温水パネルを効率よく包装することが可能になる。
【００３７】
また、上記実施形態では、温水パネルを４重に折り重ねて包装する場合を例にとって説明したが、温水パネルの折り重ね状態に特に制約はなく、種々の折り重ね態様の温水パネルを包装する場合に本願発明を適用することが可能であり、また、折り重ねていない温水パネルを包装する場合にも本願発明を適用することが可能である。
【００３８】
なお、本願発明は、さらにその他の点においても上記実施形態に限定されるものではなく、温水パネルの具体的な形状、端部包装材、側部包装材、上面包装材及び下面包装材の具体的な形状、用意すべき種類数などに関し、発明の範囲内において、種々の応用、変形を加えることが可能である。
【００３９】
【発明の効果】
上述のように本願発明（請求項１）の温水パネルの包装材は、温水パネルの厚み及び幅に対応する端部包装材及び温水パネルの厚みに対応する側部包装材を用いるとともに、長さの種類が温水パネルの長さの種類よりも少ない上面包装材及び下面包装材のうちから温水パネルの長さに適した上面包装材及び下面包装材を選択して用いる用にしているので、少ない種類の包装材で、包装構造体の大型化を招くことなく、温水パネルを確実に包装することが可能になる。
【００４０】
また、本願発明の温水パネルの包装材は、(ａ)温水パネルの両端部を保護する一対の端部包装材であって、温水パネルの端面を保護するための端面パッド及び両端側の側面を保護するための側面パッドを備えた一対の端部包装材と、(ｂ)温水パネルの両側部を保護する一対の側部包装材と、(ｃ)温水パネルの上面側を保護する上面包装材と、(ｄ)温水パネルの下面から上面にまで回り込む回り込み部を備えた下面包装材とを備えているので、包装信頼性の低下や、包装工程の複雑化を招いたりすることなく、温水パネルの寸法の種類よりも少ない種類の包装材で、包装構造体の  大型化を招くことなく、温水パネルを確実に包装することが可能になる。
【００４１】
また、端部包装材として、温水パネルの端面を保護するための端面パッド及び両端側の側面を保護するための側面パッドを備えたものを用いているので、温水パネルの両端面及び両端面側の側面をさらに確実に保護することが可能になり、包装信頼性を向上させることが可能になる。
【００４２】
また、請求項２の温水パネルの包装材のように、下面用包装材として、回り込み部に、温水パネルの厚みの種類に応じて、所定の折り曲げ位置で折り曲げることができるようにするための予備加工が施されたものを用いた場合、包装信頼性の低下や、包装工程の複雑化を招いたりすることなく、温水パネルの厚みの種類よりも少ない種類の下面包装材により、厚みの異なる温水パネルを効率よく包装することができる。
【００４３】
また、請求項３の温水パネルの包装材のように、温水パネルの両側部を保護する一対の側部包装材として、温水パネルの側面を保護するための側面パッドを備えたものを用いた場合、温水パネルの両側面をさらに確実に保護することが可能になり、包装信頼性を向上させることができる。
【００４４】
また、請求項４の温水パネルの包装材のように、端部包装材、側部包装材、上面包装材、及び下面包装材として、その少なくとも主要部が紙系材料から形成されたものを用いることにより、特殊な材料を用いることなく、環境への負荷が少なく、経済性に優れた包装材を提供することが可能になる。
【００４５】
また、請求項５の温水パネルの包装材のように、紙系材料として、段ボール紙を用いた場合、極めて汎用性の高い材料からなる信頼性の高い包装材を容易かつ確実に提供することが可能になる。
【図面の簡単な説明】
【図１】  本願発明の一実施形態にかかる包装材の構成を示す分解斜視図である。
【図２】  本願発明の一実施形態にかかる包装材を構成する端部包装材の構造を示す斜視図である。
【図３】  本願発明の一実施形態にかかる包装材を構成する側部包装材の構造を示す斜視図である。
【図４】  本願発明の一実施形態にかかる包装材を構成する端部包装材及び側部包装材を温水パネルに取り付ける方法を示す図である。
【図５】  本願発明の一実施形態にかかる包装材を構成する端部包装材及び側部包装材を温水パネルに取り付けた状態を示す図である。
【図６】  端部包装材及び側部包装材が取り付けられた温水パネルを上面包装材及び下面包装材により包装する方法を示す分解斜視図である。
【図７】  本願発明の一実施形態にかかる包装材により温水パネルを包装した状態を示す斜視図である。
【図８】  温水パネルの構成を示す平面図である。
【図９】  本願発明の包装材を構成する下面包装材の変形例を示す図である。
【図１０】  従来の温水パネルの包装構造を示す分解斜視図である。
【符号の説明】
１                温水パネル
２                包装材
３                プレート部
４                温水循環パイプ
１１ａ，１１ｂ    端部包装材
１２ａ，１２ｂ    側部包装材
１３              上面包装材
１３ａ，１６ａ    把持穴
１４              下面包装材を構成する平面部
１５ａ，１５ｂ    下面包装材を構成する回り込み部
１６              下面包装材
２１              端面パッド
２２ａ，２２ｂ    側面パッド
２３，２５        補強部材
２４              側面パッド
２６              予備加工
Ｈ                回り込み部の高さ
Ｌ１，Ｌ２，Ｌ３  温水パネルの折り曲げ位置を示す線
Ｌ                温水パネルの長さ
Ｗ                包装される状態の温水パネルの幅
Ｔ                包装される状態の温水パネルの厚み
【図１】
0004683780.tif 000002
【図２】
0004683780.tif 000003
【図３】
0004683780.tif 000004
【図４】
0004683780.tif 000005
【図５】
0004683780.tif 000006
【図６】
0004683780.tif 000007
【図７】
0004683780.tif 000008
【図８】
0004683780.tif 000009
【図９】
0004683780.tif 000010
【図１０】
0004683780.tif 000011